(57)【要約】【課題】支持筒への脚片の収容が片手で容易に操作でき、しかも支持筒を下方に向けた状態でのみ下端から脚片を進出させて安全に開くことができるようにする。【解決手段】支持筒(２)内に設けた昇降部材(７)の下部に複数の脚片(６)を連係する。脚片(６)を、昇降部材(７)の上昇により支持筒(２)内に収容された閉じ姿勢(Ｙ)と、昇降部材(７)の下降により支持筒(２)から進出して放射状に広がった開き姿勢とに切り換える。把持部(３)内にプーリ(19)を回転自在に収容する。線条体(14)の一端側を昇降部材(７)にバネ部材(15)を介して連結し、他端側をプーリ(19)に巻き付ける。プーリ(19)に連動して回転するラチェットギヤ(20)にラチェット爪(23)を係合し、線条体(14)の繰り出し方向へのプーリ(19)の回動を阻止する。解除手段(５)でラチェットギヤ(20)とラチェット爪(23)との係合を解除できるようにする。【選択図】図２
2009195396.tif 000002
【特許請求の範囲】
【請求項１】
上下方向に長い支持筒(２)と、この支持筒(２)の上端に付設した把持部(３)と、支持筒(２)内を上下移動可能な昇降部材(７)と、この昇降部材(７)の下部に連係された複数の脚片(６)とを備え、
上記の脚片(６)は、昇降部材(７)の上昇により支持筒(２)内に収容された閉じ姿勢(Ｙ)と、昇降部材(７)の下降により支持筒(２)から進出して放射状に広がった開き姿勢(Ｘ)とに切換えられるステッキであって、
上記の把持部(３)内で回転自在に収容したプーリ(19)と、
一端側が上記の昇降部材(７)に連結され、他端側から上記のプーリ(19)に巻き付けられる線条体(14)と、
上記のプーリ(19)と連動して回転するラチェットギヤ(20)と、
このラチェットギヤ(20)に係合して、上記のプーリ(19)の回動を線条体(14)の巻取り方向には許容するが、線条体(14)の繰り出し方向には阻止するラチェット爪(23)と、
上記のラチェット爪(23)に連係する解除手段(５)とを備え、
上記の解除手段(５)は、上記のラチェット爪(23)とラチェットギヤ(20)との係合を解除する解除姿勢(Ｒ)と、ラチェット爪(23)をラチェットギヤ(20)に係合させる待機姿勢(Ｗ)とに切り換え可能に構成したことを特徴とする、自立可能なステッキ。
【請求項２】
上記のプーリ(19)に連動連結したホイール(21)を上記の把持部(３)内に設け、このホイール(21)の一部を上記の把持部(３)から外方に露出させたことを特徴とする、請求項１に記載の自立可能なステッキ。
【請求項３】
上記の線条体(14)の一端側を上記の昇降部材(７)に、バネ部材(15)を介して連結した、請求項１または請求項２に記載の自立可能なステッキ。
【請求項４】
上記の支持筒(２)内に上記の線条体(14)と並列に第２バネ部材(16)を配置し、この第２バネ部材(16)を自然長よりも伸ばした状態で、その上部と下部とをそれぞれ上記の線条体(14)に固定した、請求項３に記載の自立可能なステッキ。
【請求項５】
上記の昇降部材(７)に錘(10)を付設した、請求項１から４のいずれか１項に記載の自立可能なステッキ。
【発明の詳細な説明】
【技術分野】
【０００１】
本発明は、下端部に脚片を有して不使用時に床面へ自立できるステッキに関し、さらに詳しくは、支持筒への脚片の収容が片手で容易に操作でき、しかも支持筒を下方に向けた状態でのみ下端から脚片を進出させて安全に開くことができる、自立可能なステッキに関する。
【背景技術】
【０００２】
従来、支持筒の下端部で複数の脚片を放射状に開いて、不使用時に自立させるステッキとしては、把持部に設けた操作部を操作することで、支持筒の下端から複数の脚片を出退させて開閉させるものがある(例えば、特許文献１参照。)。
【０００３】
即ちこの従来技術は、上下方向に長い支持筒と、支持筒の上端に付設した把持部と、支持筒内を上下移動可能な昇降部材と、昇降部材の下部に連係された複数の脚片とを備え、この脚片は、昇降部材の上昇により支持筒内に収容された閉じ姿勢と、昇降部材の下降により支持筒から進出した開き姿勢とに切換えできるようにしてある。上記の支持筒内には昇降部材を下方へ弾圧するリリースバネが付設してある。また上記の把持部には、昇降部材を係止して上昇した位置に保持するロック機構と、このロック機構による係止を解除する操作手段と、上記の昇降部材をワイヤを介して上方へ持ち上げるストラップとが付設してある。このストラップは把持部から繰り出しでき、リターンバネにより把持部内へ引き戻しできるように構成してある。
【０００４】
上記のステッキを通常の状態で使用する場合、上記の昇降部材はロック機構に係止されて上昇位置に保持され、この昇降部材の下端に連係した上記の脚片は支持筒内に収容された閉じ姿勢に切換えられている。このステッキを床面に自立させる場合は、上記の操作手段でロック機構による係止を解除する。これにより昇降部材はリリースバネの弾圧力で下降し、上記の脚片が支持筒から進出して放射状に広がった開き姿勢に切換えられる。この自立できる状態のステッキを歩行等に使用する場合、上記のストラップを把持部から引き出す。これにより昇降部材がワイヤを介して持ち上げられてロック機構に係止され、上昇位置に保持されるとともに、脚片が閉じられて支持筒内に収容される。その後、ストラップの引っ張りを緩めると、リターンバネの弾圧力で把持部内に引き戻される。
【０００５】
【特許文献１】特開２００５−１３０９６６号公報
【発明の開示】
【発明が解決しようとする課題】
【０００６】
上記の従来技術では、ステッキを通常の使用状態に戻すため、ストラップを把持部から引き出すことで、自立用の脚片が支持筒内に収容される。このときそのストラップは、例えば１０ｃｍ以上と長く引き出す必要があり、一方の手で把持部を支持しながら他方の手でストラップを引き出さなければならない。このため、この閉じ操作を片手のみでは操作することができず、片手の不自由な人にとっては容易に使用できない問題があった。
【０００７】
また上記従来のステッキは、上記の昇降部材がリリースバネの弾圧力で下降することから、上記の支持筒の下端を持ち上げて、例えばこの支持筒を水平にした状態であっても、上記の操作手段を操作してロック機構の係止を解除するとリリースバネの弾圧力で脚片が支持筒の下端から進出するので、不用意に操作すると周囲の他物と衝突して脚片などを破損する虞があった。
【０００８】
本発明の技術的課題はこれらの問題点を解消し、支持筒への脚片の収容が片手で容易に操作でき、しかも支持筒を下方に向けた状態でのみ下端から脚片を進出させて安全に開くことができる、自立可能なステッキを提供することにある。
【課題を解決するための手段】
【０００９】
本発明は上記の課題を解決するため、例えば本発明の実施の形態を示す図１から図４に基づいて説明すると、次のように構成したものである。
即ち、本発明は自立可能なステッキに関し、上下方向に長い支持筒(２)と、この支持筒(２)の上端に付設した把持部(３)と、支持筒(２)内を上下移動可能な昇降部材(７)と、この昇降部材(７)の下部に連係された複数の脚片(６)とを備え、上記の脚片(６)は、昇降部材(７)の上昇により支持筒(２)内に収容された閉じ姿勢(Ｙ)と、昇降部材(７)の下降により支持筒(２)から進出して放射状に広がった開き姿勢(Ｘ)とに切換えられるステッキであって、
上記の把持部(３)内で回転自在に収容したプーリ(19)と、一端側が上記の昇降部材(７)に連結され、他端側から上記のプーリ(19)に巻き付けられる線条体(14)と、上記のプーリ(19)と連動して回転するラチェットギヤ(20)と、このラチェットギヤ(20)に係合して、上記のプーリ(19)の回動を線条体(14)の巻取り方向には許容するが、線条体(14)の繰り出し方向には阻止するラチェット爪(23)と、上記のラチェット爪(23)に連係する解除手段(５)とを備え、上記の解除手段(５)は、上記のラチェット爪(23)とラチェットギヤ(20)との係合を解除する解除姿勢(Ｒ)と、ラチェット爪(23)をラチェットギヤ(20)に係合させる待機姿勢(Ｗ)とに切り換え可能に構成したことを特徴とする。
【００１０】
上記のステッキは、通常の使用状態にあっては上記の線条体がプーリに巻き取られており、上記の昇降部材はこの線条体で筒体内の上昇した位置に引き上げられているので、上記の脚片は支持筒内に収容された閉じ姿勢に切り換えてある。このとき、上記の解除手段は待機姿勢に切り換えてあり、ラチェット爪はラチェットギヤに係合するため、上記のプーリは線条体の繰り出し方向へは回転できず、昇降部材は重力の作用に抗して、上昇位置に保持されている。
【００１１】
この状態から上記の解除手段を操作して解除姿勢に切り換えると、上記のラチェット爪がラチェットギヤから後退して係合が解除され、プーリは線条体の繰り出し方向へ回動可能となる。これにより、昇降部材が重力の作用で下降するとともに、線条体がプーリから繰り出される。そして昇降部材が下降すると、その下部に連係された上記の脚片が支持筒の下端から進出し、放射状に広がった開き姿勢に切り換えられる。このとき、上記の昇降部材は重力の作用で下降するので、例えばこの支持筒を水平姿勢にするなど、支持筒の下端を持ち上げた状態では、昇降部材は重力に作用を受けても支持筒の内面に支持されて下降せず、脚片は支持筒内で閉じ姿勢に維持される。
【００１２】
上記の解除手段を待機姿勢に戻すと、ラチェット爪がラチェットギヤに係合する。この状態で上記のプーリを線条体の巻取り方向に回動させると線条体が巻き取られ、昇降部材が上昇するとともに、上記の脚辺が閉じ姿勢に切り換えられて支持筒内に収容される。このとき上記のプーリは、例えば途中で回動を停止してもラチェットギヤとラチェット爪との係合により線条体の繰り出し方向へは回転せず、昇降部材は重力の作用に抗して上昇した位置に保持される。
【００１３】
上記のプーリとラチェットギヤとは、任意の構造で連動連結できるが、これらを同軸回転可能に互いに固定すると、１つの回転軸でコンパクトに構成でき、好ましい。
また、上記の線条体は、上記のプーリに巻き付けることができ、且つ、このプーリと上記の昇降部材との間に張設できるものであればよく、特定の材質のものに限定されない。例えば超高分子量ポリエチレン繊維やポリアミド繊維などの高強度繊維が好ましいが、これ等以外の合成繊維や天然繊維のほか、ワイヤなどの金属製線条体であってもよく、これらを組み合わせて用いることも可能である。またこの線条体は、モノフィラメントやマルチフィラメントの無撚糸や撚糸などであってもよく、これ等を編組した紐体であってもよく、さらには鎖状のもので構成することも可能である。
【００１４】
上記の線条体をプーリに巻き取る際、このプーリは任意の駆動手段により回転させることができる。例えば、把持部内にモータと乾電池を組み込んで、このモータの出力軸を上記のプーリに連動連結してもよい。しかし、上記のプーリに連動連結したホイールを上記の把持部内に設け、このホイールの一部を上記の把持部から外方に露出させた場合には、このホイールの露出部分に親指をあてるとともに、上記の把持部を他の指と掌とで支持して、親指によりホイールを回動させることで、上記のプーリを片手で回転させて線条体を簡単に巻上げることができ、乾電池などの駆動源を必要とせず、簡単な構造で安価に実施することができる。
【００１５】
上記のプーリを回転させて線条体を巻き取ると、この線条体には昇降部材に作用する重力に加えて、脚片を閉じ姿勢に切り換えるための抗力が加わる。
上記の線条体は、その一端側を上記の昇降部材へ直接連結してもよい。しかしこの場合は、上記の昇降部材を上昇させて開き姿勢の脚片を閉じ姿勢に切り換えようとすると、昇降部材の全重量と脚片を閉じ姿勢に切り換えるための抗力とが、回動当初から線条体を介してプーリに加わる。
【００１６】
これに対し、上記の線条体の一端側を上記の昇降部材に、バネ部材を介して連結した場合には、プーリに加わる力がこのバネ部材に緩衝されるので、回動当初は軽い力でプーリを回動させることができ、好ましい。即ち、この場合は、プーリを回転して線条体を巻き取ると、最初は軽い力でバネ部材が伸び、このバネ部材の伸長に伴って引張力が増加し、線条体を介してプーリに加わる力も徐々に大きくなっていく。そしてこのバネ部材の引張力が、上記の昇降部材の全重量と脚片を閉じ姿勢に切り換えるための抗力との合計よりも大きくなると、このバネ部材の引張力により、昇降部材が引き上げられて、脚片が閉じ姿勢に切り換えられる。
【００１７】
上記の解除手段が待機姿勢にあると、上記のプーリはラチェットギヤとラチェット爪との係合により繰り出し方向へは回動せず、このプーリに巻き取られた線条体は、昇降部材により繰り出し方向へ引っ張られているので、線条体はこのプーリの溝から外れることがない。一方、上記の解除手段を解除姿勢に切り換えると、ラチェット爪がラチェットギヤから外れて、プーリが繰り出し方向へも自由に回動する。このとき、上記の支持筒が水平などの状態にあると昇降部材が下降しないため、線条体は張力を失って弛み、プーリの溝から外れる虞がある。特に上記のバネ部材を介して線条体を昇降部材に連結してある場合は、このバネ部材の引張力で線条体がプーリから繰り出されるため、プーリが過剰に回転して一層弛み易い。
【００１８】
そこで、上記の支持筒内に上記の線条体と並列に第２バネ部材を配置し、この第２バネ部材を自然長よりも伸ばした状態で、その上部と下部とをそれぞれ上記の線条体に固定すると、上記の線条体の弛みがこの第２バネ部材に吸収され、線条体がプーリから外れることが防止されて好ましい。
即ち、この場合に上記の線条体が緩むと、上記の第２バネ部材が自然長に収縮しようとし、線条体はこの第２バネ部材と並列な部分のみで弛む。この結果、プーリに巻き取られた部分では、線条体はこの第２バネ部材により引っ張られているので、プーリの溝から外れることがない。
【００１９】
上記の昇降部材は、十分に重量が大きい場合は、上記の解除手段を解除姿勢に切り換えると、重力が作用して速やかに下降し、円滑に脚片が開き姿勢へ切り換えられる。しかしこの昇降部材が軽量であると、プーリの回転抵抗などにより昇降部材の下降速度が遅くなり、脚片を円滑に開き姿勢へ切り換えできなくなる場合がある。これらの場合には、上記の昇降部材に適切な重量の錘を付設することができ、これにより昇降部材を速やかに下降させて、脚片を開き姿勢へ円滑に切り換えることができる。
【発明の効果】
【００２０】
本発明は上記のように構成され作用することから、次の効果を奏する。
【００２１】
(１)上記の把持部を他の指で支持しながら、親指などでプーリを回動させることで、線条体を簡単に巻上げて、昇降部材を上昇させることができるので、前記の従来技術と異なって、脚片を支持筒内へ収容する場合も片手で簡単に操作することができ、片手の不自由な人であっても、容易に使用することができる。
【００２２】
(２)支持筒を水平状態にした場合など、支持筒の下端が下方へ向いていない場合は、昇降部材が重力の作用を受けても下降しないことから、支持筒を下方に向けた状態でのみ下端から脚片を進出させて安全に開くことができ、他物との不用意な衝突による脚片の破損等を防止することができる。
【発明を実施するための最良の形態】
【００２３】
以下、本発明の実施の形態を図面に基づき説明する。
図１から図４は本発明の実施形態を示し、図１(ａ)は脚片を閉じ姿勢に切換えたステッキの斜視図、図１(ｂ)は脚片を開き姿勢に切換えたステッキの斜視図、図２は脚片を閉じ姿勢に切換えたステッキの、一部を省略した断面図、図３は把持部に収容した操作ユニットの一部破断斜視図、図４は脚片を開き姿勢に切換えたステッキの、一部を省略した断面図である。
【００２４】
図１(ａ)と図１(ｂ)に示すように、このステッキ(１)は上下方向に長い支持筒(２)と、この支持筒(２)の上端に付設した把持部(３)と、支持筒(２)の下端に付設した石突き(４)とを備え、把持部(３)の一端に解除ボタン(５)が設けてある。この解除ボタン(５)は、飛び出た状態の待機姿勢(Ｗ)と、押し込まれた状態の解除姿勢(Ｒ)とに切換えできるようにしてある。
【００２５】
上記の石突き(４)の下面は開口してあり、上記の解除ボタン(５)を解除姿勢(Ｒ)へ切り換え操作することで、図１(ｂ)に示すように、上記の支持筒(２)内に収容されていた複数の脚片(６)が上記の石突き(４)の下面開口から進出して放射状に広がり、開き姿勢(Ｘ)に切換えられる。この状態で、ステッキ(１)は脚片(６)に支持されて床面などの上に自立することができる。
【００２６】
上記の把持部(３)の上面にはホイール(21)の一部が上方に露出してある。このホイール(21)は、上記の解除ボタン(５)を待機姿勢(Ｗ)に戻したのち回転させることで、上記の脚片(６)が閉じるとともに引き上げられ、上記の支持筒(２)内に収容される。
【００２７】
次に、上記のステッキの内部構造について説明する。
図２に示すように、上記の支持筒(２)内には上下移動可能な棒状の昇降部材(７)が備えてあり、この昇降部材(７)の下部に上記の複数の脚片(６)が連係してある。この脚片(６)は昇降部材(７)の下部に外嵌した開閉操作部(８)にも連係してある。上記の昇降部材(７)の中間部にはフランジ部(7a)が設けてあり、上記の開閉操作部(８)はこのフランジ部(7a)との間に配置した開きバネ(９)で上方へ付勢してある。上記のフランジ部(7a)の上面には錘(10)が昇降部材(７)に外嵌してあり、この錘(10)の上方には固定リング(11)が、上記の支持筒(２)内に固定してある。また、上記の昇降部材(７)には、上端近傍に第１係止ピン(12)が固定してあり、上記の開閉操作部(８)と上記のフランジ部(7a)との間に第２係止ピン(13)が固定してある。
【００２８】
上記の昇降部材(７)の上端には、支持筒(２)内を上下に伸びる線条体(14)の下端側が、バネ部材(15)を介して連結してある。また支持筒(２)内には、この線条体(14)と並列に第２バネ部材(16)が配設してある。この第２バネ部材(16)は、自然長よりも伸びた状態で、その上部と下部とがそれぞれ上記の線条体(14)に固定してある。
【００２９】
一方、上記の把持部(３)内には、操作ユニット(17)が組み込んである。図２と図３に示すように、この操作ユニット(17)の枠体(18)内には、プーリ(19)とラチェットギヤ(20)と上記のホイール(21)とが、同軸回転自在に互いに連結されて収容してある。そしてこのプーリ(19)の外周面に形成された溝に、上記の線条体(14)が他端側から巻き付けてある。この線条体(14)は、支持筒(２)と把持部(３)とを接続するガイド部材(22)の内部を通過して支持筒(２)内に案内してある。
【００３０】
上記の操作ユニット(17)内には、上記のラチェットギヤ(20)に係合可能なラチェット爪(23)が付設してある。このラチェット爪(23)がラチェットギヤ(20)に係合することで、上記のプーリ(19)は、上記の線条体(14)の巻取り方向には回動が許容されるが、線条体(14)の繰り出し方向には回動が阻止される。このラチェット爪(23)は前記の解除ボタン(５)に連係してあり、この解除ボタン(５)を押し込んで解除姿勢(Ｒ)に切り換えると、上記のラチェット爪(23)とラチェットギヤ(20)との係合が解除するようにしてある。また、この解除ボタン(５)と上記の枠体(18)との間に復帰バネ(24)が付設してあり、上記の押込み力を除くと、この復帰バネ(24)の付勢力により、この解除ボタン(５)が待機姿勢(Ｗ)へ切り換えられて、ラチェット爪(23)がラチェットギヤ(20)に係合するようにしてある。
【００３１】
次に、上記のステッキの作動について説明する。
上記のステッキ(１)は、通常の使用状態では、図１(ａ)と図２に示すように、上記の昇降部材(７)が上昇した位置に保持され、この昇降部材(７)の下部に連係された脚片(６)は閉じ姿勢(Ｙ)に切換えられて支持筒(２)内に収容されている。このとき、上記の解除ボタン(５)は待機姿勢(Ｗ)に切換えられて、ラチェット爪(23)がラチェットギヤ(20)に係合しており、線条体(14)がプーリ(19)に巻き取られている。
【００３２】
この状態から上記の解除ボタン(５)を押し込んで解除姿勢(Ｒ)に切り換えると、上記のラチェット爪(23)がラチェットギヤ(20)から後退して係合が解除され、プーリ(19)が線条体(14)の繰り出し方向へ回動自在となる。上記の線条体(14)には、昇降部材(７)やこれに付設した錘(10)の荷重が加わっており、線条体(14)がプーリ(19)から繰り出されるとともに、重力の作用で昇降部材(７)が下降し、前記の第１係止ピン(12)が固定リング(11)に受け止められて昇降部材(７)の下降が停止する。
【００３３】
上記の固定リング(11)での受け止めにより、上記の線条体(14)には上記の昇降部材(７)や錘(10)の荷重が加わらなくなるので、上記のプーリ(19)の過剰な回転によっては、この線条体(14)が弛む場合がある。この場合には、前記の第２バネ部材(16)が自然長に戻ろうとし、その引張力により線条体(14)の弛みがこの第２バネ部材(16)に吸収されて、プーリ(19)に捲回された線条体(14)に適正な張力が付与される。この結果、この線条体(14)がプーリ(19)の溝から外れることがない。
【００３４】
なお、上記の支持筒(２)を水平姿勢にするなど、支持筒(２)の下端を持ち上げた場合には、上記の解除ボタン(５)を解除姿勢(Ｒ)に切り換えても、昇降部材(７)が支持筒(２)の内面に受け止められて下降しない場合がある。この場合は脚片(６)が支持筒(２)の下端から飛び出すことがなく、他物と不用意に衝突する虞がない。しかしこの場合には、解除ボタン(５)の切り換え操作でプーリ(19)が自由に回動するにもかかわらず、昇降部材(７)が下降しないため、線条体(14)が弛むことがある。この場合も、上記の第２バネ部材(16)によりその線条体(14)の弛みが吸収されるので、線条体(14)がプーリ(19)の溝から外れることがない。そして、この解除ボタン(５)を解除姿勢(Ｒ)に切り換えた状態で上記の支持筒(２)の下端を下方に位置させると、重力の作用により昇降部材(７)が上記と同様に下降する。
【００３５】
上記の昇降部材(７)の下降により、前記の脚片(６)が支持筒(２)下端の石突き(４)から進出し、開閉操作部(８)が開きバネ(９)の付勢力で上昇するとともに脚片(６)が放射状に広がっていく。そして開閉操作部(８)が上昇して第２係止ピン(13)に受け止められると、脚片(６)は、図１(ｂ)や図４に示すように、適正に広がった開き姿勢(Ｘ)に切り換わる。この結果、ステッキ(１)は広がった脚片(６)で支持され、床面上などに自立される。
【００３６】
上記の解除ボタン(５)は、押し込み力を除くと、前記の復帰バネ(24)の弾圧力で待機姿勢(Ｗ)に切り換わり、これによりラチェット爪(23)がラチェットギヤ(20)に係合する。この状態で、例えば上記の把持部(３)を他の指と掌で支持するとともに、この把持部(３)から露出した前記のホイール(21)を親指で回動する。これにより、上記の線条体(14)がプーリ(19)に巻き取られるとともに、上記のバネ部材(15)や第２バネ部材(16)が伸びていく。なお、上記のプーリ(19)は、途中で回動を停止してもラチェットギヤ(20)とラチェット爪(23)との係合により、線条体(14)の繰り出し方向へは回転することがない。
【００３７】
上記の線条体(14)の巻取り当初は、バネ部材(15)の伸長により生じる引張力が弱く、上記の昇降部材(７)は、錘(10)を含めた全重量に作用する重力と、脚片(６)を閉じ姿勢(Ｙ)に切り換えるための抗力とのため上昇しない。しかし、線条体(14)の巻取りとともにバネ部材(15)が徐々に伸びて引張力が増加していき、上記の昇降部材(７)や錘(10)の全重量と脚片(６)を閉じ姿勢(Ｙ)に切り換えるための抗力との合計よりも、バネ部材(15)の引張力が強くなると、昇降部材(７)が一気に引き上げられる。この昇降部材(７)の上昇により、上記の脚片(６)は石突き(４)の内面で押えられて閉じていき、前記の開閉操作部(８)が開きバネ(９)の付勢力に抗して、昇降部材(７)に対し相対的に下降する。そして図２に示すように、上記の錘(10)が前記の固定リング(11)の下面に達し、昇降部材(７)の上昇が停止した状態では、上記の脚片(６)が支持筒(２)内に収容された閉じ姿勢(Ｙ)に切り換わる。
【００３８】
上記の実施形態で説明したプーリやラチェット機構、ホイール、解除手段、昇降部材、開閉操作部材ど、各部材の形状や構造、配置などは、本発明の技術的思想を具体化するために例示したものであってこの実施形態のものに限定されるものではなく、本発明の特許請求の範囲内において種々の変更を加え得るものであることは、いうまでもない。
【００３９】
例えば、上記の実施形態では脚片を開閉させる開閉操作部を引張バネで付勢して脚片を開くように構成したが、本発明では脚片が支持筒から進出すると開き、支持筒内へ収容されるときに閉じるように構成してあればよい。例えば、この開閉操作部を石突きの内面に突き当てることで脚片を開き、支持筒内へ収容する際は、付勢バネで開閉操作部を昇降部材に対し相対的に下方へ付勢することで脚片を閉じるように構成してもよい。さらには、開閉操作部を省略して、昇降部材と脚片の上端部とを付勢バネ等で直接連係したものであってもよい。
【００４０】
また、上記の実施形態では、使用者がホイールを指先で操作することでプーリを回動させたが、使用者がプーリを直接回動させてもよく、さらには、電動モータを把持部に収容して、この電動モータの出力軸によりプーリを回動させることも可能である。
【産業上の利用可能性】
【００４１】
本発明のステッキは、支持筒への脚片の収容が片手で容易に操作でき、しかも支持筒を下方に向けた状態でのみ下端から脚片を進出させて安全に開くことができるので、片手の不自由な人でも容易に使用できるステッキとして好適に用いられる。
【図面の簡単な説明】
【００４２】
【図１】本発明の実施形態を示し、図１(ａ)は脚片を閉じ姿勢に切換えたステッキの斜視図、図１(ｂ)は脚片を開き姿勢に切換えたステッキの斜視図である。
【図２】本発明の実施形態の、脚片を閉じ姿勢に切換えたステッキの、一部を省略した断面図である。
【図３】本発明の実施形態の、操作ユニットの一部破断斜視図である。
【図４】本発明の実施形態の、脚片を開き姿勢に切換えたステッキの、一部を省略した断面図である。
【符号の説明】
【００４３】
１…ステッキ
２…支持筒
３…把持部
５…解除手段(解除ボタン)
６…脚片
７…昇降部材
10…錘
14…線条体
15…バネ部材
16…第２バネ部材
19…プーリ
20…ラチェットギヤ
21…ホイール
23…ラチェット爪
Ｒ…解除姿勢
Ｗ…待機姿勢
Ｘ…開き姿勢
Ｙ…閉じ姿勢
【図１】
2009195396.tif 000003
【図２】
2009195396.tif 000004
【図３】
2009195396.tif 000005
【図４】
2009195396.tif 000006